(57)【要約】【課題】倉庫内スペースにロスを発生させないパレット段積み用キットおよび段積み用アタッチメントを提供する。【解決手段】パレット１２の四隅の外面にそれぞれＬ字状の段積み用アタッチメント１３を掛止し、その後、各段積み用アタッチメント１３のうち、隣接するもの同士を４本の楔状連結バー１５によりそれぞれ掛止する。次に、各段積み用アタッチメント１３の支柱ポケット部１９に、それぞれアングル状の支柱１４の下端部を挿入し、各支柱１４のうち、対角配置されたものの上端部同士を２本のクロスバー１６を介して、着脱自在に連結する。これにより、支柱に丸パイプを使用した従来キットに比べて、各段積み用アタッチメント１３から支柱１４が突出する幅が短くなり、保管場内のスペースにロスが発生しにくい。【選択図】図１
0003226744.tif 000002
【実用新案登録請求の範囲】
【請求項１】
対向する側面にそれぞれ一対のフォーク差込口が配された矩形状のパレットに後付けすることにより、該パレットの段積みを行うパレット段積み用キットにおいて、
前記パレットの四隅の外面に掛止される４つのＬ字状の段積み用アタッチメントと、
前記パレットの四隅に配されるアングル状の４本の支柱と、
前記各段積み用アタッチメントのうち、隣接するもの同士を着脱自在に連結する４本の楔状連結バーと、
前記各支柱のうち、対角配置されたものの上端部同士を着脱自在に連結する２本のクロスバーとを有し、
前記各段積み用アタッチメントの屈曲部の外側には、対応する支柱の下端部が、互いの屈曲方向を一致させて掛止されるＬ字状の支柱ポケット部が配設されたパレット段積み用キット。
【請求項２】
前記各段積み用アタッチメントには、対応するフォーク差込口の端面形成部に掛止されるパレット掛止板片がそれぞれ設けられた請求項１に記載のパレット段積み用キット。
【請求項３】
前記各楔状連結バーは、各長さ方向の両端部に一対の掛止爪が配された楔状連結バーで、
前記各段積み用アタッチメントの外側には、対応する楔状連結バーの前記掛止爪がそれぞれ掛止される一対の楔ポケット部が配設された請求項１または請求項２に記載のパレット段積み用キット。
【請求項４】
対向する側面にそれぞれ一対のフォーク差込口が配された矩形状のパレットの隅部の外側に掛止されて、アングル状の支柱を介して、前記パレットを段積みする際に使用されるＬ字状の段積み用アタッチメントであって、
前記段積み用アタッチメントの屈曲部の外側には、前記支柱の下端部が、互いの屈曲方向を一致させて掛止されるＬ字状の支柱ポケット部が設けられた段積み用アタッチメント。
【請求項５】
前記段積み用アタッチメントには、対応するフォーク差込口の端面形成部に掛止されるパレット掛止板片が設けられた請求項４に記載の段積み用アタッチメント。
【請求項６】
前記段積み用アタッチメントには、前記パレットの四隅のうち、前記隅部に隣接する隅部に掛止された別の段積み用アタッチメントに対して、前記段積み用アタッチメントを着脱自在に連結するための楔状連結バーの掛止爪が掛止される楔ポケット部が設けられた請求項４または請求項５に記載の段積み用アタッチメント。
【考案の詳細な説明】
【技術分野】
【０００１】
この考案はパレット段積み用キットおよびパレット段積み用アタッチメント、詳しくは格納、輸送用のパレットに後付けすることにより、パレットを所定の高さ間隔で段積みするためのパレット段積み用キットおよびパレット段積み用アタッチメントに関する。
【背景技術】
【０００２】
フォークリフトによる荷役作業で用いられるパレットは、上面に荷物が積載され、側面にフォークリフトのフォークが差し込まれるフォーク差込口が配された矩形板状体である。
近年、トラック等から荷降ろしされたパレット上の荷物は、それぞれ収納棚へ納め直すのではなく、パレットに段積みフレーム（パレット段積み用キット）を後付けして段積みすることにより、これら全体でラックを構築して効率良く保管することが行われている。
【０００３】
従来の段積みフレームとして、例えば、特許文献１の従来の技術の欄に記載されたものなどが知られている。これは、丸パイプをコ字状に組んだ２組の骨組体を、それぞれの上部桟の長さ方向の中間部で軸支した構造の枠本体部と、パレットの各コーナーに装着されて、対応する骨組体の支柱の下端部が抜き差し自在に嵌入される円筒容器状の支柱受が外側面に固定された４つの段積み用アタッチメントとを備えたものである。
【０００４】
段積みフレームの使用時には、まず、パレットの四隅に段積み用アタッチメントをそれぞれ装着し、その後、平面視して十字状に配置した２組の骨組体の各支柱の下端部を、対応する段積み用アタッチメントの支柱受にそれぞれ嵌入する。これにより、段積みフレームがパレットに組付けられる。その後、この組付けられた段積みフレームの枠本体部の上に、別のパレットを載置するものである。
【先行技術文献】
【特許文献】
【０００５】
【特許文献１】特開平９−３２８１２６号公報
【考案の概要】
【考案が解決しようとする課題】
【０００６】
しかしながら、従来の段積みフレームの骨組体の支柱には、上述したように丸パイプが使用されていた。そのため、各段積み用アタッチメントは、対応する支柱をパレットの左右側方へ突出させた位置で支持する構造となっていた。その結果、ラックの要素として段積みフレーム付きのパレットを隣接配置する際には、その隣接間に、支柱の直径の２倍以上の間隔をあける必要があり、荷物の保管場所である倉庫内の保管スペースにロスが発生していた。
【０００７】
この考案は、上述した従来技術の課題に鑑みなされたもので、保管場所での保管スペースにロスが発生しにくいパレット段積み用キットおよび段積み用アタッチメントを提供することを目的としている。
【課題を解決するための手段】
【０００８】
請求項１に記載の考案は、対向する側面にそれぞれ一対のフォーク差込口が配された矩形状のパレットに後付けすることにより、該パレットの段積みを行うパレット段積み用キットにおいて、前記パレットの四隅の外面に掛止される４つのＬ字状の段積み用アタッチメントと、前記パレットの四隅に配されるアングル状の４本の支柱と、前記各段積み用アタッチメントのうち、隣接するもの同士を着脱自在に連結する４本の楔状連結バーと、前記各支柱のうち、対角配置されたものの上端部同士を着脱自在に連結する２本のクロスバーとを有し、前記各段積み用アタッチメントの屈曲部の外側には、対応する支柱の下端部が、互いの屈曲方向を一致させて掛止されるＬ字状の支柱ポケット部が配設されたパレット段積み用キットである。
【０００９】
パレットの素材は限定されない。例えば、各種の合成樹脂、各種の木、各種の金属でもよい。
パレットの種類は任意である。例えば、トラック搬送などに使用される汎用パレットでもよい。
フォーク差込口は、矩形状のパレットの二対存在する対向する側面（前面−後面、左面−右面）の何れか一方でも、その両方に形成されてもよい。
段積み用アタッチメント、支柱、楔状連結バーおよびクロスバーの各素材は、それぞれ限定されない。例えば、鉄、鋼などの各種の金属を採用することができる。
支柱の高さは任意である。荷物のサイズや搭載数に応じて適宜選択される。
楔状連結バーと、隣接する段積み用アタッチメントとの連結構造は任意である。例えば、フック掛止構造、嵌合構造、ボルトナット構造などを採用することができる。
【００１０】
請求項２に記載の考案は、前記各段積み用アタッチメントには、対応するフォーク差込口の端面形成部に掛止されるパレット掛止板片がそれぞれ設けられた請求項１に記載のパレット段積み用キットである。
【００１１】
パレット掛止板片は、段積み用アタッチメントと一体形成しても、別体で形成してもよい。
パレット掛止板片の形状は、対応するフォーク差込口の端面形成部に段積み用アタッチメントを掛止可能であれば任意である。
また、パレット掛止板片の形成数は、１つでも複数でもよい。
【００１２】
請求項３に記載の考案は、前記各楔状連結バーは、各長さ方向の両端部に一対の掛止爪が配された楔状連結バーで、前記各段積み用アタッチメントには、対応する楔状連結バーの前記掛止爪がそれぞれ掛止される一対の楔ポケット部が配設された請求項１または請求項２に記載のパレット段積み用キットである。
【００１３】
掛止爪の形状は任意である。
楔ポケット部の形状および段積み用アタッチメントの形成位置も任意である。
【００１４】
請求項４に記載の考案は、対向する側面にそれぞれ一対のフォーク差込口が配された矩形状のパレットの隅部の外側に掛止されて、アングル状の支柱を介して、前記パレットを段積みする際に使用されるＬ字状の段積み用アタッチメントであって、前記段積み用アタッチメントの屈曲部の外側には、前記支柱の下端部が、互いの屈曲方向を一致させて掛止されるＬ字状の支柱ポケット部が設けられた段積み用アタッチメントである。
【００１５】
請求項５に記載の考案は、前記段積み用アタッチメントには、対応するフォーク差込口の端面形成部に掛止されるパレット掛止板片が設けられた請求項４に記載の段積み用アタッチメントである。
【００１６】
請求項６に記載の考案は、前記段積み用アタッチメントには、前記パレットの四隅のうち、前記隅部に隣接する隅部に掛止された別の段積み用アタッチメントに対して、前記段積み用アタッチメントを着脱自在に連結するための楔状連結バーの掛止爪が掛止される楔ポケット部が設けられた請求項４または請求項５に記載の段積み用アタッチメントである。
【００１７】
楔ポケット部の形成数は任意である。ただし、パレットの四隅のうち、段積み用アタッチメントが掛止された隅部を中心として、その両側方の隅部に配された一対の別の段積み用アタッチメントにそれぞれ連結可能なように、２つ形成した方が好ましい。
【考案の効果】
【００１８】
請求項１に記載のパレット段積み用キットによれば、パレットの四隅の外面にそれぞれＬ字状の段積み用アタッチメントを掛止し、その後、各段積み用アタッチメントのうち、隣接するもの同士を、４本の楔状連結バーによりそれぞれ掛止する。
次いで、各段積み用アタッチメントの支柱ポケット部に、互いの屈曲方向を一致させた状態で、アングル状の各支柱の下端部をそれぞれ挿入して、パレットの四隅に４本の支柱を立設する。
【００１９】
また、これらの支柱のうち、対角配置されたものの上端部同士を、２本のクロスバーによりそれぞれ掛止して連結する。
こうして十字配置されたクロスバーの上には、各フォーク差込口に一対のフォークが差し込まれたパレットを、フォークリフトにより持ち上げて段積みする。
このようにパレット段積み用キットを構成したため、従来品の支柱に丸パイプを使用したものに比べて、各段積み用アタッチメントから支柱が突出する幅（長さ）が短くなり、倉庫などの保管場での保管スペースにロスが発生しにくい。
【００２０】
特に、請求項２に記載のパレット段積み用キットによれば、各段積み用アタッチメントには、対応するフォーク差込口の端面形成部に、それぞれパレット掛止板片が掛止されている。そこで、各段積み用アタッチメント掛止時、対応するフォーク差込口の端面形成部に、それぞれパレット掛止板片を掛止するだけで、簡単かつ確実に、各段積み用アタッチメントをパレットの対応する隅部（コーナー）に、着脱自在に取り付けることができる。
【００２１】
また、請求項３に記載のパレット段積み用キットによれば、各隣接する段積み用アタッチメント同士を連結する際には、各段積み用アタッチメントの楔ポケット部に、対応する楔状連結バーの掛止爪をそれぞれ掛止すればよい。
これにより、パレットの四隅に配された各段積み用アタッチメントを、４本の楔状連結バーを使用して、簡単かつ確実に一体化することができる。
【００２２】
さらに、請求項４に記載の段積み用アタッチメントによれば、パレットの隅部の外面にそれぞれＬ字状の段積み用アタッチメントを掛止する。
次いで、段積み用アタッチメントの支柱ポケット部に、互いの屈曲方向を一致させた状態で、アングル状の支柱の下端部を挿入して、パレットの隅部に支柱を立設する。
これにより、従来品の支柱に丸パイプを使用したものに比べて、段積み用アタッチメントから支柱が突出する幅が短くなり、倉庫などの保管場での保管スペースにロスが発生しにくい。
【００２３】
さらにまた、請求項５に記載の段積み用アタッチメントによれば、パレットの隅部への段積み用アタッチメントの掛止時、対応するフォーク差込口の端面形成部にパレット掛止板片を掛止するだけで、簡単かつ確実に、この段積み用アタッチメントを、パレットの隅部に着脱自在に取り付けることができる。
【００２４】
また、請求項６に記載の段積み用アタッチメントによれば、隣接する段積み用アタッチメント同士を連結する際には、段積み用アタッチメントの楔ポケット部に、対応する楔状連結バーの掛止爪をそれぞれ掛止する。
これにより、パレットの隣接する隅部に配された各段積み用アタッチメントを、楔状連結バーを使用して、簡単かつ確実に一体化することができる。
【図面の簡単な説明】
【００２５】
【図１】この考案の実施例１に係るパレット段積み用キットの使用状態を示す正面図である。
【図２】この考案の実施例１のパレット段積み用キットの一部を構成する段積み用アタッチメントをパレットの四隅に掛止した状態を示す平面図である。
【図３】この考案の実施例１に係るパレット段積み用キットの使用状態を示す平面図である。
【図４】この考案の実施例１の段積み用アタッチメントの拡大斜視図である。
【図５】この考案の実施例１の段積み用アタッチメントの拡大正面図である。
【図６】この考案の実施例１の段積み用アタッチメントの拡大平面図である。
【考案を実施するための形態】
【００２６】
以下、この考案の実施例を具体的に説明する。
【実施例】
【００２７】
図１〜図３に示すように、この考案の実施例１に係るパレット段積み用キット１０は、対向する２対の側面にそれぞれ一対のフォーク差込口１１が配された矩形状のパレット１２に後付けすることにより、パレット１２を段積み可能とするものである。
【００２８】
以下、これらの構成体を説明する。
図１および図２に示すように、パレット１２は、図示しないフォークリフトによる荷役作業で用いられる、一辺の長さが約１ｍ、厚さが約１５ｃｍの合成樹脂からなる平面視正方形の中空板である。パレット１２の内部には、各側面にフォーク差込口１１を形成するための短尺な矩形柱１２ａが、前後左右方向へ等ピッチで合計９つ配設されている。
【００２９】
図１〜図３に示すように、パレット段積み用キット１０は、パレット１２の四隅の外面に掛止される４つの平面視Ｌ字状の段積み用アタッチメント１３と、パレット１２の四隅に配されるアングル状（平面視９０°で屈曲）の４本の支柱１４と、各段積み用アタッチメント１３のうち、隣接するもの同士を着脱自在に連結する４本の楔状連結バー１５と、各支柱１４のうち、対角配置されたものの上端部同士を着脱自在に連結する２本のクロスバー１６とを備えている。これらの部品１３〜１６は、全てステンレス製である。
【００３０】
図４〜図６に示すように、各段積み用アタッチメント１３は、第１の側板１７の基部と第２の側板１８の基部１７ａ，１８ａとを、それぞれＬ字状に連結したものである。以下、１つの段積み用アタッチメント１３を例にして、その構造を説明する。
各基部１７ａ，１８ａの上端部には、上方へ平行に延出した延出部１７ｂ，１８ｂが一体形成されている。
また、段積み用アタッチメント１３の屈曲部（各側板の基部）１３ａの外側には、対応する支柱１４の下端部が、互いの屈曲方向を一致させて掛止されるＬ字状の支柱ポケット部１９が設けられている。
【００３１】
支柱ポケット部１９は、段積み用アタッチメント１３の屈曲部１３ａと、この屈曲部１３ａの外側に幅方向の両端部が溶接された略アングル状の短尺な支柱ポケット形成板２０と、これらの間に形成されたＬ字状の支柱ポケット２１の下側開口を塞ぐＬ字底板２２とから構成されている。
また、各側板１７，１８の先部１７ｃ、１８ｃの中央上部の外側には、それぞれ上底より下底が短い台形状を有する一対の楔ポケット部２３が配設されている。各楔ポケット部２３の上，下面はいずれも開口している。
【００３２】
各楔ポケット部２３は、各先部１７ｃ、１８ｃと、これらの先部１７ｃ、１８ｃの外側に、幅方向の両端部が溶接された、台形状の一対の楔ポケット形成板２４とを有し、対応するもの同士の間に、それぞれ下方へ向かうほど先細りする楔ポケット２８が一対形成されている。
各楔ポケット形成板２４の幅方向の両端部には、幅が狭い一対の狭側板２５が配設されている。このうち、各側板１７，１８の先側に配された狭側板２５は、下方へ向かうほど各楔ポケット２８が先細りするように、徐々にポケット内方へ傾斜している。
【００３３】
さらに、第１の側板１７の先端には、パレット１２の対応するフォーク差込口１１の端面形成部１２ｂに掛止される横長矩形状のパレット掛止板片２６が、直角な内折り状態で形成されている。
なお、各段積み用アタッチメント１３は、パレット１２の左側に配されるものと、パレット１２の右側に配されるものとで、パレット掛止板片２６が形成される側板が異なる。ここでは、説明の都合上、パレット掛止板片２６付きの方を第１の側板１７とする。
【００３４】
図１および図３に示すように、各支柱１４は、高さが約１．５ｍのアングル状の板材である。各支柱１４の上端には、対応するクロスバー１６の長さ方向の端部を着脱自在に連結するための略矩形状の連結板片１４ａが配設されている。
また、図１および図２に示すように、各楔状連結バー１５は、各長さ方向の両端部に一対の掛止爪２７が配された横長な楔状の板材である。各掛止爪２７は、各楔ポケット２８に対応した形状を有している。
【００３５】
次に、図１〜図６を参照して、この考案の実施例１に係るパレット段積み用キット１０の使用方法を説明する。
図１〜図３に示すように、まず、パレット１２の四隅の外側にそれぞれ段積み用アタッチメント１３を掛止する。その際、各段積み用アタッチメント１３のパレット掛止板片２６を、対応するフォーク差込口１１の端面形成部１２ｂに差し込んで掛止する。
これにより、パレット１２の対応する隅部に、各段積み用アタッチメント１３を簡単かつ確実に取り付けることができる。
【００３６】
その後、各段積み用アタッチメント１３のうち、隣接するもの同士を４本の楔状連結バー１５によりそれぞれ掛止する。具体的には、各段積み用アタッチメント１３の各楔ポケット部２３の楔ポケット２８に、対応する楔状連結バー１５の掛止爪２７をそれぞれ引っ掛ける。
これにより、パレット１２の四隅に配された各段積み用アタッチメント１３を、４本の楔状連結バー１５を使用して、簡単かつ確実に一体化することができる。
【００３７】
次に、各段積み用アタッチメント１３において、支柱ポケット部１９の支柱ポケット２１に、対応する支柱１４の下端部をそれぞれ挿入し、パレット１２の四隅に４本の支柱１４を立設する。このとき、対応する段積み用アタッチメント１３の各側板１７，１８の延出部１７ｂ、１８ｂが、各支柱１４を各支柱ポケット２１に差し込むときのガイドとなる。
その後、パレット１２の四隅に配された４本の支柱１４のうち、対角配置されたものの連結板片１４ａ同士に、２本のクロスバー１６を着脱自在に横架（掛止）する。
次いで、パレット１２の上方で十字配置された２本のクロスバー１６の上に、フォークリフトを使用して別のパレット１２を段積みする。
【００３８】
このように、パレット段積み用キット１０を構成したため、従来品の支柱に丸パイプを使用したものに比べて、各段積み用アタッチメント１３から支柱１４が突出する幅（長さ）が短くなり、倉庫（保管場）での保管スペースにロスが発生しにくい。
また、各隣接する段積み用アタッチメント１３同士を連結する際には、それぞれの段積み用アタッチメント１３の楔ポケット部２３に、対応する楔状連結バー１５の掛止爪２７をそれぞれ掛止する構成としたため、パレット１２の四隅に配された各段積み用アタッチメント１３を、４本の楔状連結バー１５を利用して、簡単かつ確実に一体化することができる。
【産業上の利用可能性】
【００３９】
この考案のパレット段積み用キットおよび段積み用アタッチメントは、パレットに後付けして、パレットを所定の高さ間隔で段積みするための技術として有用である。
【符号の説明】
【００４０】
１０  パレット段積み用キット、
１１  フォーク差込口、
１２  パレット、
１２ｂ  端面形成部、
１３  段積み用アタッチメント、
１４  支柱、
１５  楔状連結バー、
１６  クロスバー、
１９  支柱ポケット部、
２３  楔ポケット部、
２６  パレット掛止板片、
２７  掛止爪。
【図１】
0003226744.tif 000003
【図２】
0003226744.tif 000004
【図３】
0003226744.tif 000005
【図４】
0003226744.tif 000006
【図５】
0003226744.tif 000007
【図６】
0003226744.tif 000008